(57)【要約】【課題】画像出力装置から受信した画像データを画像ファイルとして一時的に保存し、ユーザが画像ファイルに対する処理の継続を確認する操作を行うと、一時的に保存した画像ファイルに対してあらかじめ設定された処理を実行するようにして、ユーザが行う作業を省くことができ、手間をかけずに容易に画像ファイルを利用することができるようにする。【解決手段】原稿の画像を読み取って画像データを生成する画像出力装置と、該画像出力装置から前記画像データを受信する情報処理装置とを有する画像処理システム１０であって、前記情報処理装置は、前記画像出力装置から受信した画像データを画像ファイルとして一時的に保存し、ユーザが前記画像ファイルに対する処理の継続を確認する操作を行うと、一時的に保存した画像ファイルに対してあらかじめ設定された処理を実行する。【選択図】図１
2013045359.tif 000002
【特許請求の範囲】
【請求項１】
（ａ）原稿の画像を読み取って画像データを生成する画像出力装置と、該画像出力装置から前記画像データを受信する情報処理装置とを有する画像処理システムであって、
（ｂ）前記情報処理装置は、前記画像出力装置から受信した画像データを画像ファイルとして一時的に保存し、ユーザが前記画像ファイルに対する処理の継続を確認する操作を行うと、一時的に保存した画像ファイルに対してあらかじめ設定された処理を実行することを特徴とする画像処理システム。
【請求項２】
前記情報処理装置は、前記画像出力装置から受信した画像データを不可視属性の画像ファイルとして一時的に保存する請求項１に記載の画像処理システム。
【請求項３】
前記あらかじめ設定された処理が実行された画像ファイルは、可視属性の画像ファイルとなる請求項１に記載の画像処理システム。
【請求項４】
前記ユーザは、前記画像ファイルに対する処理の継続を確認する操作とともに、前記あらかじめ設定した処理を変更する操作を選択的に行うことができる請求項１に記載の画像処理システム。
【発明の詳細な説明】
【技術分野】
【０００１】
本発明は、画像処理システムに関するものである。
【背景技術】
【０００２】
従来、スキャナを有する画像処理システムにおいては、ネットワークに接続されたスキャナが読み込んだ原稿の画像データは、同じくネットワークに接続されたパーソナルコンピュータ等の端末装置に送信される。この場合、前記スキャナは、読み込んだ原稿の画像を所定の形式の画像データに変換し、該画像データを、前記端末装置との間で確立されたインターフェイスを介して前記端末装置に送信するようになっている。そして、該端末装置は、前記スキャナから受信した画像データを画像ファイルなどのファイル形式に変換して、ハードディスク等の記憶手段に格納する。これにより、ユーザは、前記端末装置にインストールされているアプリケーションプログラムを起動して、前記画像ファイルを利用することができる。
【０００３】
例えば、端末装置が備える液晶ディスプレイ等の表示手段に画像を表示させる場合、ユーザは、前記端末装置を操作してビュワ等のアプリケーションプログラムを起動する。そして、該アプリケーションプログラムを使用して記憶手段に格納された所望の画像ファイルを選択する。すると、表示手段の画面に画像ファイルの画像が表示される。
【０００４】
また、例えば、電子メールによって画像を送信する場合、ユーザは、前記端末装置を操作して電子メールの送受信用のアプリケーションプログラムを起動する。そして、該アプリケーションプログラムによって宛先等を含む電子メールを作成するとともに、記憶手段に格納された所望の画像ファイルを選択し、作成した電子メールに添付する。すると、前記画像ファイルは、前記電子メールに添付されて、該電子メールの宛先に送信される（例えば、特許文献１参照。）。
【先行技術文献】
【特許文献】
【０００５】
【特許文献１】特開２００２−２２９８３８号公報
【発明の概要】
【発明が解決しようとする課題】
【０００６】
しかしながら、前記従来の画像処理システムにおいては、画像ファイルを利用するためには、ユーザが多くの作業を行う必要があり、手間がかかってしまう。
【０００７】
例えば、端末装置が備える表示手段に画像を表示させる場合、ユーザは、アプリケーションプログラムの選択、アプリケーションプログラムの起動、アプリケーションプログラムに含まれるコマンドの選択、画像ファイルの選択等の作業を行う必要がある。このように多くの作業を行う必要があるので、手間がかかり、ユーザは煩わしく感じてしまう。特に、端末装置が備える記憶手段に多数の画像ファイルが格納されている場合には、大変な手間がかかってしまう。
【０００８】
本発明は、前記従来の画像処理システムの問題点を解決して、画像出力装置から受信した画像データを画像ファイルとして一時的に保存し、ユーザが画像ファイルに対する処理の継続を確認する操作を行うと、一時的に保存した画像ファイルに対してあらかじめ設定された処理を実行するようにして、ユーザが行う作業を省くことができ、手間をかけずに容易に画像ファイルを利用することができる画像処理システムを提供することを目的とする。
【課題を解決するための手段】
【０００９】
そのために、本発明の画像処理システムにおいては、原稿の画像を読み取って画像データを生成する画像出力装置と、該画像出力装置から前記画像データを受信する情報処理装置とを有する画像処理システムであって、前記情報処理装置は、前記画像出力装置から受信した画像データを画像ファイルとして一時的に保存し、ユーザが前記画像ファイルに対する処理の継続を確認する操作を行うと、一時的に保存した画像ファイルに対してあらかじめ設定された処理を実行する。
【発明の効果】
【００１０】
本発明によれば、画像処理システムは、画像出力装置から受信した画像データを画像ファイルとして一時的に保存し、ユーザが画像ファイルに対する処理の継続を確認する操作を行うと、一時的に保存した画像ファイルに対してあらかじめ設定された処理を実行するようになっている。これにより、ユーザが行う作業を省くことができ、手間をかけずに容易に画像ファイルを利用することができる。
【図面の簡単な説明】
【００１１】
【図１】本発明の第１の実施の形態における画像処理システムの構成を示すブロック図である。
【図２】本発明の第１の実施の形態における端末装置の構成を示すブロック図である。
【図３】本発明の第１の実施の形態における画像読取装置の構成を示すブロック図である。
【図４】本発明の第１の実施の形態における画像読取装置の操作パネルの例を示す図である。
【図５】本発明の第１の実施の形態における画像受信プログラムの機能構成を示すブロック図である。
【図６】本発明の第１の実施の形態における画像読取装置と画像受信プログラムとの間で送受信されるコマンドの例を示す図である。
【図７】本発明の第１の実施の形態における端末装置のディスプレイに表示される継続確認ダイアログの例を示す図である。
【図８】本発明の第１の実施の形態におけるＳｃａｎＴｏ機能を実行するために必要な設定情報の例を示す図である。
【図９】本発明の第１の実施の形態におけるプッシュスキャンの種別毎に設定情報を設定するためのダイアログを示す第１の図である。
【図１０】本発明の第１の実施の形態におけるプッシュスキャンの種別毎に設定情報を設定するためのダイアログを示す第２の図である。
【図１１】本発明の第１の実施の形態におけるプッシュスキャンの種別毎に設定情報を設定するためのダイアログを示す第３の図である。
【図１２】本発明の第１の実施の形態における端末装置と画像読取装置との間の通信シーケンスを示す図である。
【図１３】本発明の第１の実施の形態における端末装置のディスプレイに表示された画像を示す図である。
【図１４】本発明の第１の実施の形態における端末装置の継続確認処理の動作を示すフローチャートである。
【図１５】本発明の第２の実施の形態における端末装置のディスプレイに表示される継続確認ダイアログの例を示す第１の図である。
【図１６】本発明の第２の実施の形態における端末装置のディスプレイに表示される継続確認ダイアログの例を示す第２の図である。
【図１７】本発明の第２の実施の形態における端末装置のディスプレイに表示される継続確認ダイアログの例を示す第３の図である。
【図１８】本発明の第２の実施の形態における端末装置のディスプレイに表示されるアプリケーション登録ダイアログの例を示す図である。
【図１９】本発明の第２の実施の形態における端末装置のディスプレイに表示される継続確認ダイアログの例を示す第４の図である。
【図２０】本発明の第２の実施の形態における端末装置の継続確認処理の動作を示すフローチャートである。
【発明を実施するための形態】
【００１２】
以下、本発明の実施の形態について図面を参照しながら詳細に説明する。
【００１３】
図１は本発明の第１の実施の形態における画像処理システムの構成を示すブロック図である。
【００１４】
図において、１０は、本実施の形態における画像処理システムである。該画像処理システム１０は、通信ネットワーク１１と、該通信ネットワーク１１に接続されたパーソナルコンピュータ等の情報処理装置としての端末装置２０と、前記通信ネットワーク１１に接続されたスキャナ等の画像出力装置としての画像読取装置３０とを有する。なお、図に示される例において、端末装置２０及び画像読取装置３０の数は、それぞれ、一つであるが、二つ以上であってもよく、任意に設定することができる。
【００１５】
そして、前記通信ネットワーク１１は、例えば、ＵＳＢ（Ｕｎｉｖｅｒｓａｌ  Ｓｅｒｉａｌ  Ｂｕｓ）ケーブル等のケーブルであってもよいし、イントラネット、ＬＡＮ（Ｌｏｃａｌ  Ａｒｅａ  Ｎｅｔｗｏｒｋ）、ＷＡＮ（Ｗｉｄｅ  Ａｒｅａ  Ｎｅｔｗｏｒｋ）等のネットワークであってもよいし、インターネット等を含むＩＰ（Ｉｎｔｅｒｎｅｔ  Ｐｒｏｔｏｃｏｌ）ネットワークであってもよい。
【００１６】
また、前記画像読取装置３０は、原稿の画像を読み取り、画像データを生成し、生成した画像データを、前記通信ネットワーク１１を介して、前記端末装置２０に送信する。
【００１７】
画像読取装置３０の使用方法には、プルスキャンとプッシュスキャンとがある。プルスキャンは、端末装置２０から画像読取装置３０の使用を開始する方法であり、例えば、ユーザが端末装置２０を操作し、アプリケーションプログラムの読取りボタンを押下する等の操作を行うことによって、画像読取装置３０のジョブを開始させる方法である。また、プッシュスキャンは、画像読取装置３０の操作手段の操作によって画像読取装置３０の使用を開始する方法であり、例えば、ユーザが画像読取装置３０が備える読取りボタンを押下する等の操作を行うことによって、画像読取装置３０のジョブを開始させる方法であって、端末装置２０のアプリケーションプログラムの読取りボタンを押下する必要はない。
【００１８】
なお、プッシュスキャンで読み取った画像データを最終的に端末装置２０のアプリケーションプログラムで開くことをＳｃａｎ  ｔｏ  Ａｐｐｌｉｃａｔｉｏｎと呼び、指定フォルダに保存することをＳｃａｎ  ｔｏ  Ｆｏｌｄｅｒと呼び、ＰＣ−Ｆａｘソフトウェアに渡すことをＳｃａｎ  ｔｏ  ＰＣ−Ｆａｘと呼ぶ。
【００１９】
次に、前記端末装置２０の構成について説明する。
【００２０】
図２は本発明の第１の実施の形態における端末装置の構成を示すブロック図である。
【００２１】
図に示されるように、端末装置２０は、演算手段としてのＣＰＵ２１、記憶手段としてのＲＯＭ２２、記憶手段としてのＲＡＭ２３、表示手段としてのディスプレイ２４、記憶手段としてのＨＤＤ２５、入力手段としてのキーボード２６、及び、通信制御手段としての外部インターフェイス２７を備える。なお、前記ＣＰＵ２１、ＲＯＭ２２、ＲＡＭ２３、ディスプレイ２４、ＨＤＤ２５、キーボード２６及び外部インターフェイス２７は、内部通信ネットワークとしてのシステムバス２８に接続され、該システムバス２８を介して制御される。
【００２２】
また、前記ＨＤＤ２５は、典型的には、ハードディスクであるが、フラッシュメモリを用いるＳＳＤ（Ｓｏｌｉｄ  Ｓｔａｔｅ  Ｄｒｉｖｅｒ）等の記憶保存デバイスでもよい。さらに、ユーザが操作する入力手段は、キーボード２６に限らず、マウス等であってもよいし、ディスプレイ２４がタッチパネルである場合には、ディスプレイ２４が表示手段としてのみならず、入力手段としても機能する。さらに、前記外部インターフェイス２７は、図示されないＬＡＮインターフェイスやＵＳＢインターフェイスを制御し、コマンド送受信、画像データ受信等を行う。
【００２３】
そして、前記端末装置２０は、スキャナドライバ、スキャナ読取り対応アプリケーション、ＰＣ−Ｆａｘソフトウェア等のアプリケーションプログラムがインストールされ、利用可能な状態である。そして、アプリケーションプログラムによって、前記端末装置２０は、通信ネットワーク１１を介して、画像読取装置３０と、画像データ転送に関わるデータの送受信を行う。
【００２４】
次に、前記画像読取装置３０の構成について説明する。
【００２５】
図３は本発明の第１の実施の形態における画像読取装置の構成を示すブロック図である。
【００２６】
図に示されるように、画像読取装置３０は、演算手段としてのＣＰＵ３１、記憶手段としてのＲＯＭ３２、記憶手段としてのＲＡＭ３３、イメージ取得手段としての画像読取部３４、記憶手段としてのＨＤＤ３５、入力手段及び表示手段としての操作パネル３６、並びに、通信制御手段としての外部インターフェイス３７を備える。なお、前記ＣＰＵ３１、ＲＯＭ３２、ＲＡＭ３３、画像読取部３４、ＨＤＤ３５、操作パネル３６及び外部インターフェイス３７は、内部通信ネットワークとしてのシステムバス３８に接続され、該システムバス３８を介して制御される。
【００２７】
そして、前記画像読取部３４は、ＣＣＤ（Ｃｈａｒｇｅ  Ｃｏｕｐｌｅｄ  Ｄｅｖｉｃｅ：電荷結合素子）、撮像管等の撮像素子、レンズ、画像が印刷された紙等の媒体、写真等の原稿を照らすランプ等を備え、原稿の画像を走査しながら読み取る。前記画像読取部３４が読み取った原稿の画像から画像データが生成され、該画像データが、前記通信ネットワーク１１を介して、前記端末装置２０に送信される。また、前記ＨＤＤ３５は、典型的には、ハードディスクであるが、フラッシュメモリを用いるＳＳＤ等の記憶保存デバイスでもよい。さらに、ユーザが操作する操作パネル３６は、典型的には、タッチパネル等の表示手段と入力手段との機能を兼ね備えるものであって、文字、画像等を表示するととともに、テンキー、選択ボタン、押しボタン等の入力手段を操作可能に表示する。さらに、前記外部インターフェイス３７は、図示されないＬＡＮインターフェイスやＵＳＢインターフェイスを制御し、コマンド送受信、画像データ送信等を行う。
【００２８】
次に、前記画像読取装置３０の操作パネル３６について説明する。
【００２９】
図４は本発明の第１の実施の形態における画像読取装置の操作パネルの例を示す図である。
【００３０】
図において、６１は、操作パネル３６に表示された操作画面の一例であって、プッシュスキャンの際に操作を行うための操作画面であり、ユーザがＳｃａｎ  ｔｏ  Ａｐｐｌｉｃａｔｉｏｎを行うために、プッシュスキャンの種別を示すＡｐｐｌｉｃａｔｉｏｎ、Ｆｏｌｄｅｒ、及び、ＰＣ−ＦａｘのボタンのうちからＡｐｐｌｉｃａｔｉｏｎのボタンが選択されて押下された状態を示している。操作画面６１は、ユーザが操作パネル３６を操作して、送信先のアドレスを入力し、プッシュスキャンの指定を行うと、表示される。
【００３１】
そして、ユーザが画像読取装置３０に原稿をセットし、操作画面６１内のＳｔａｒｔボタンを押下すると、画像読取部３４が原稿の画像の読取を開始し、生成された画像データが端末装置２０に送信される。すると、該端末装置２０では、あらかじめ指定されたアプリケーションプログラムが作動して、受信した画像データがディスプレイ２４に表示される。なお、画像読取装置３０では、前記外部インターフェイス３７が、図示されないＬＡＮインターフェイスやＵＳＢインターフェイスを制御して、コマンド送受信、画像データ送信等を行う。
【００３２】
次に、前記端末装置２０で作動する画像受信プログラムについて説明する。
【００３３】
図５は本発明の第１の実施の形態における画像受信プログラムの機能構成を示すブロック図、図６は本発明の第１の実施の形態における画像読取装置と画像受信プログラムとの間で送受信されるコマンドの例を示す図、図７は本発明の第１の実施の形態における端末装置のディスプレイに表示される継続確認ダイアログの例を示す図、図８は本発明の第１の実施の形態におけるＳｃａｎＴｏ機能を実行するために必要な設定情報の例を示す図、図９は本発明の第１の実施の形態におけるプッシュスキャンの種別毎に設定情報を設定するためのダイアログを示す第１の図、図１０は本発明の第１の実施の形態におけるプッシュスキャンの種別毎に設定情報を設定するためのダイアログを示す第２の図、図１１は本発明の第１の実施の形態におけるプッシュスキャンの種別毎に設定情報を設定するためのダイアログを示す第３の図である。
【００３４】
図において、４１は、端末装置２０にあらかじめインストールされたアプリケーションプログラムである画像受信プログラムであって、機能の観点から、コマンド送受信部４２、画像データ処理部４３、ＳｃａｎＴｏ機能処理部４４、ＵＩ処理部４５及びＳｃａｎＴｏ機能管理データ４６を備える。
【００３５】
そして、画像受信プログラム４１は、レジデントプログラムとして常時起動しており、プッシュスキャン開始イベントの通知を待機する。
【００３６】
また、コマンド送受信部４２は、画像読取装置３０から画像データを取得するためのプロトコルを管理し、画像読取装置３０に送信するコマンドの生成処理及び生成したコマンドの送信処理、並びに、画像読取装置３０が送信したコマンドの受信処理及び受信したコマンドの解析を行い、受信した画像データを画像データ処理部４３に転送する。
【００３７】
ここで、前記画像受信プログラム４１と画像読取装置３０との間で送受信されるコマンドは、例えば、図６に示されるコマンド５１のように構成される。
【００３８】
該コマンド５１は、コマンドの種別を示すＣｏｍｍａｎｄ  ｃｏｄｅ５２と、コマンドのデータ部分であるＣｏｎｔｅｎｔｓ５４と、該Ｃｏｎｔｅｎｔｓ５４の長さを示すＣｏｎｔｅｎｔｓ  Ｌｅｎｇｔｈ５３とから構成される。なお、Ｃｏｎｔｅｎｔｓ５４にセットされるデータは、ＯＫ／ＮＧといったパラメータや画像データなどである。
【００３９】
そして、コマンド５１ａは、画像読取装置３０でスキャン開始ボタンが押下されると画像読取装置３０から送信されるＳｔａｒｔ  Ｓｃａｎ（スキャン開始）コマンドであり、Ｃｏｎｔｅｎｔｓ０ｘ１０によってＳｃａｎ  ｔｏ  Ａｐｐｌｉｃａｔｉｏｎが指定されたことを判断することができる。また、コマンド５１ｂは、Ｒｅｓｐｏｎｓｅ（応答）コマンドでありＯＫを返すことを示している。なお、Ｃｏｎｔｅｎｔｓ定義５５は、コマンド５１のＣｏｎｔｅｎｔｓ５４にセットされ得るデータ定義の一例を示している。
【００４０】
また、前記画像データ処理部４３は、コマンド送受信部４２から転送された画像データに基づき、ＳｃａｎＴｏ機能管理データ４６に設定された画像ファイル形式に従って、画像ファイルを構成しＨＤＤ２５の所定のフォルダに格納して保存する。該所定のフォルダ及び該フォルダに格納される画像ファイルは不可視属性とされ、通常は画像ファイル形式を意味する拡張子部分は、拡張子を除くファイル名個所に設定され、画像ファイルの拡張子には構成された画像ファイル順に従った連番が設定される。
【００４１】
例えば、所定のフォルダをＣ：￥Ｄｏｃｕｍｅｎｔｓ  ａｎｄ  Ｓｅｔｔｉｎｇｓ￥ｕｓｅｒ￥Ａｐｐｌｉｃａｔｉｏｎ  Ｄａｔａ￥Ｒｅｃｅｉｖｅｄ  Ｄａｔａ￥とし、画像ファイル形式をＢＭＰとすると、“Ｒｅｃｅｉｖｅｄ  Ｄａｔａ”フォルダ、及び、該フォルダに順次保存される画像ファイルｔｍｐ＿ｂｍｐ．００１、ｔｍｐ＿ｂｍｐ．００２（ファイル数は読取り画像ページに応じて増減するので以下省略する。）は、不可視属性にされる。ここでは、ファイル生成時の属性パラメータに不可視を指定する方法とする。
【００４２】
端末装置２０のＯＳ（Ｏｐｅｒａｔｉｎｇ  Ｓｙｓｔｅｍ）によって異なる方法があるので、それぞれに適切な方法をとればよい。例えば、ドット（．）で始まるファイル名は、不可視ファイル扱いとするＯＳもあるので、このような場合に、生成するファイル名をドットで始める方法が考えられる。なお、不可視化は、ユーザが処理すべきでない一時保存ファイルの存在確認を困難にするとともに、容易にファイルを取り扱えなくするために行われる。
【００４３】
そして、コマンド送受信部４２は、画像読取装置３０からの画像取込み手順が完了した後に、ＵＩ処理部４５に継続確認ダイアログを表示するように指示する。
【００４４】
すると、ＵＩ処理部４５は、図７に示されるような継続確認ダイアログ６２を、ディスプレイ２４の画面に表示させる。そして、前記ＵＩ処理部４５は、ユーザによる継続確認ダイアログ６２のボタン押下を監視し、押下されたボタンの種別がＣｏｎｔｉｎｕｅの場合には、ＳｃａｎＴｏ機能処理部４４に処理継続を通知し、Ｃａｎｃｅｌの場合には、画像データ処理部４３に処理キャンセルを通知する。
【００４５】
また、ＳｃａｎＴｏ機能処理部４４は、ＵＩ処理部４５から処理継続が通知されると、ＳｃａｎＴｏ機能管理データ４６から登録されているアプリケーションプログラム情報（起動コマンド）を読み出し、画像データ処理部４３が構成した画像ファイルを引数とした起動コマンドを生成してアプリケーションプログラムを起動させる。ここで、ＳｃａｎＴｏ機能管理データ４６は、図８に示されるように、ＳｃａｎＴｏ機能を実行するために必要な設定情報６３を保持している。
【００４６】
さらに、コマンド送受信部４２が、画像読取装置３０から指定されたプッシュスキャンの種別（Ｓｃａｎ  ｔｏ  Ａｐｐｌｉｃａｔｉｏｎ、Ｓｃａｎ  ｔｏ  Ｆｏｌｄｅｒ、及び、Ｓｃａｎ  ｔｏ  ＰＣ−Ｆａｘのいずれか）をＳｃａｎＴｏ機能管理データ４６の［Ａｃｔｉｏｎ］セクションに設定しておくことにより、実行中のジョブの種類をＳｃａｎＴｏ機能処理部４４等が判断することができる。
【００４７】
なお、Ｓｃａｎ  ｔｏ  Ａｐｐｌｉｃａｔｉｏｎ、Ｓｃａｎ  ｔｏ  Ｆｏｌｄｅｒ、及び、Ｓｃａｎ  ｔｏ  ＰＣ−Ｆａｘのそれぞれに対応する設定情報は、前記設定情報６３における［Ａｐｐｌｉｃａｔｉｏｎ］、［Ｆｏｌｄｅｒ］及び［ＰＣ−Ｆａｘ］セクションにそれぞれ設定される。
【００４８】
そして、Ｓｃａｎ  ｔｏ  Ａｐｐｌｉｃａｔｉｏｎに対応する設定情報は、図９に示されるように、ＵＩ処理部４５がディスプレイ２４の画面に表示させるダイアログ７１ａで設定することができる。また、Ｓｃａｎ  ｔｏ  Ｆｏｌｄｅｒに対応する設定情報は、図１０に示されるように、ＵＩ処理部４５がディスプレイ２４の画面に表示させるダイアログ７１ｂで設定することができる。さらに、Ｓｃａｎ  ｔｏ  ＰＣ−Ｆａｘに対応する設定情報は、図１１に示されるように、ＵＩ処理部４５がディスプレイ２４の画面に表示させるダイアログ７１ｃで設定することができる。前記ダイアログ７１ａ〜７１ｃの各々は、原稿読取り設定を指定するＩｎｐｕｔグループ７２と画像データの保存設定を指定するＯｕｔｐｕｔグループ７３とを備える。
【００４９】
次に、前記構成の画像処理システム１０の動作について説明する。まず、端末装置２０と画像読取装置３０との間で通信を行う際の動作について説明する。
【００５０】
図１２は本発明の第１の実施の形態における端末装置と画像読取装置との間の通信シーケンスを示す図である。
【００５１】
ここでは、図４に示されるように、操作パネル３６に表示されたプッシュスキャンの際に操作を行うための操作画面６１において、ユーザがＳｃａｎ  ｔｏ  Ａｐｐｌｉｃａｔｉｏｎを行うことを選択した場合について説明する。なお、端末装置２０は、画像受信プログラム４１が作動することによって画像読取装置３０と通信を行う。
【００５２】
まず、ユーザは、画像読取装置３０に原稿をセットし、画像読取装置３０の操作パネル３６を操作して送信先である端末装置２０のアドレス（例えば、ＩＰアドレス、ホスト名等）を入力し、プッシュスキャンの指定を行うと、図４に示されるような操作画面６１が表示される。そして、ユーザは、前記操作画面６１において、Ａｐｐｌｉｃａｔｉｏｎのボタンを選択して押下し、Ｓｔａｒｔボタンを押下する。
【００５３】
なお、端末装置２０と画像読取装置３０とがＵＳＢケーブル等によってローカル接続されている場合のように、送信先が固定されて限られている場合には、宛先としてのアドレスを入力する必要はない。また、端末装置２０と画像読取装置３０とがネットワーク接続されている場合には、多数の接続相手から送信先を選択する必要があるので、画像読取装置３０の記憶手段に格納されているアドレス帳から端末装置２０のアドレスを選択したり、端末装置２０のアドレスを直接入力したりする必要がある。
【００５４】
そして、Ｓｔａｒｔボタンが押下されると、画像読取装置３０は、送信先として指定された端末装置２０に、スキャン開始コマンドであるＳｔａｒｔ  Ｓｃａｎを送信する。
【００５５】
一方、端末装置２０では、画像受信プログラム４１がレジデントプログラムとして常時起動しており、プッシュスキャン開始イベントの通知を待機している。そのため、端末装置２０は、Ｓｔａｒｔ  Ｓｃａｎ、すなわち、スキャン開始コマンドを受信すると、該スキャン開始コマンドで指定されたプッシュスキャンの種別をＳｃａｎＴｏ機能管理データ４６に保存した後、応答（Ｒｅｓｐｏｎｓｅ）であるＯＫを画像読取装置３０に返信する。
【００５６】
続いて、端末装置２０は、ＳｃａｎＴｏ機能管理データ４６から読み出した読取り指定パラメータを、読取り設定コマンドであるＳｅｔ  Ｓｃａｎ  ＰａｒａｍｅｔｅｒのＣｏｎｔｅｎｔｓに設定し、画像読取装置３０に対して指定する。
【００５７】
すると、画像読取装置３０は、指定されたＳｅｔ  Ｓｃａｎ  Ｐａｒａｍｅｔｅｒに従って、原稿の画像の読取、すなわち、Ｓｃａｎを開始する。そして、画像読取装置３０は、ビットマップデータとしての画像データを生成し、端末装置２０から受信した画像データ要求コマンドであるＲｅａｄ  Ｉｍａｇｅ  Ｄａｔａに応じて、生成した画像データ、すなわち、Ｉｍａｇｅ  Ｄａｔａを端末装置２０に送信する。
【００５８】
該端末装置２０の画像受信プログラム４１は、ＳｃａｎＴｏ機能管理データ４６が保存する画像ファイル形式を示すＳａｖｅＡｓの設定値を読み出し、画像読取装置３０から受信した画像データをＢＭＰ形式で、例えば、ｔｍｐ＿ｂｍｐ．００１、ｔｍｐ＿ｂｍｐ．００２等のように、原稿の枚数に応じた複数の不可視ファイルを作成し、該不可視ファイルを一時保存フォルダに保存する。例えば、Ｃ：￥Ｄｏｃｕｍｅｎｔｓ  ａｎｄ  Ｓｅｔｔｉｎｇｓ￥ｕｓｅｒ￥Ａｐｐｌｉｃａｔｉｏｎ  Ｄａｔａ￥Ｒｅｃｅｉｖｅｄ  Ｄａｔａ￥、に一時的に保存する。
【００５９】
そして、画像読取装置３０は、最後の原稿の画像を読み終え、すなわち、Ｓｃａｎを完了して、画像データ、すなわち、Ｉｍａｇｅ  Ｄａｔａの端末装置２０への送信を終えると、端末装置２０から送信される終了コマンドであるＥｎｄ  Ｓｃａｎを待機する。
【００６０】
一方、端末装置２０は、所定期間Ｉｍａｇｅ  Ｄａｔａを取得しなかった場合、最後の画像データを受信したものと判断し、終了コマンドであるＥｎｄ  Ｓｃａｎを画像読取装置３０に送信する。すると、該画像読取装置３０は、終了コマンドに対する応答（Ｒｅｓｐｏｎｓｅ）であるＯＫを端末装置２０に返信して、動作を終了する。
【００６１】
そして、ユーザは、読取が終了した原稿を携えて、送信先である端末装置２０に赴く。該端末装置２０は、画像読取装置３０からの画像データの受信と、画像ファイルを一時的に保存する保存処理が終了すると、継続確認処理に移行する。
【００６２】
次に、画像読取装置３０と端末装置２０との間の通信シーケンスについて説明する。
ステップＳ１  Ｓｔａｒｔボタンを押下する。
ステップＳ２  画像読取装置３０は、端末装置２０に、Ｓｔａｒｔ  Ｓｃａｎを送信する。
ステップＳ３  端末装置２０は、Ｓｔａｒｔ  Ｓｃａｎを受信すると、応答（Ｒｅｓｐｏｎｓｅ）であるＯＫを画像読取装置３０に返信する。
ステップＳ４  端末装置２０は、ＳｃａｎＴｏ機能管理データ４６から読み出した読み取り指定パラメータを、Ｓｅｔ  Ｓｃａｎ  ＰａｒａｍｅｔｅｒのＣｏｎｔｅｎｔｓに設定し、画像読取装置３０に対して指定する。
ステップＳ５  画像読取装置３０は、指定されたＳｅｔ  Ｓｃａｎ  Ｐａｒａｍｅｔｅｒに従って、Ｓｃａｎを開始する。
ステップＳ６  画像読取装置３０は、端末装置２０からＲｅａｄ  Ｉｍａｇｅ  Ｄａｔａを受信してＩｍａｇｅ  Ｄａｔａを生成する。
ステップＳ７  画像読取装置３０は、Ｉｍａｇｅ  Ｄａｔａを端末装置２０に送信する。
ステップＳ８  画像受信プログラム４１は、不可視ファイルを一時保存フォルダに保存する。
ステップＳ９  画像読取装置３０は、Ｓｃａｎを完了する。
ステップＳ１０  画像読取装置３０は、Ｉｍａｇｅ  Ｄａｔａの端末装置２０への送信を終える。
ステップＳ１１  端末装置２０は、Ｅｎｄ  Ｓｃａｎを画像読取装置３０に送信する。
ステップＳ１２  画像読取装置３０は、終了コマンドに対する応答（Ｒｅｓｐｏｎｓｅ）であるＯＫを端末装置２０に返信して、動作を終了する。
ステップＳ１３  端末装置２０は、画像読取装置３０からの画像データの受信と、画像ファイルを一時的に保存する保存処理が終了すると、継続確認処理に移行する。
【００６３】
次に、端末装置２０の継続確認処理の動作について説明する。
【００６４】
図１３は本発明の第１の実施の形態における端末装置のディスプレイに表示された画像を示す図、図１４は本発明の第１の実施の形態における端末装置の継続確認処理の動作を示すフローチャートである。
【００６５】
継続確認処理に移行すると、まず、端末装置２０の画像受信プログラム４１のＵＩ処理部４５は、図７に示されるように、一時的に保存した画像ファイルに対して処理を継続するか否かを確認するための継続確認ダイアログ６２を、ディスプレイ２４の画面に表示させる。続いて、ＵＩ処理部４５は、ユーザによる継続確認ダイアログ６２のボタン押下を監視し、いずれの種別のボタンが押下されたかを判断する。
【００６６】
そして、押下されたボタンの種別がＣａｎｃｅｌの場合、ＵＩ処理部４５は、画像データ処理部４３に処理キャンセルを通知する。すると、画像データ処理部４３は、一時保存フォルダであるＣ：￥Ｃ：￥Ｄｏｃｕｍｅｎｔｓ  ａｎｄ  Ｓｅｔｔｉｎｇｓ￥ｕｓｅｒ￥Ａｐｐｌｉｃａｔｉｏｎ  Ｄａｔａ￥Ｒｅｃｅｉｖｅｄ  Ｄａｔａ￥に保存した画像ファイルを削除する。そして、ＵＩ処理部４５は、継続確認ダイアログ６２を閉じて、継続確認処理を終了する。
【００６７】
一方、押下されたボタンの種別がＣｏｎｔｉｎｕｅの場合、ＵＩ処理部４５は、ＳｃａｎＴｏ機能処理部４４に処理継続を通知する。すると、ＳｃａｎＴｏ機能処理部４４は、ＳｃａｎＴｏ機能管理データ４６の［Ａｃｔｉｏｎ］セクションに設定されているプッシュスキャンの種別を読み出し、継続する処理の種別がいずれであるか、すなわち、Ｓｃａｎ  ｔｏ  Ａｐｐｌｉｃａｔｉｏｎ、Ｓｃａｎ  ｔｏ  Ｆｏｌｄｅｒ、及び、Ｓｃａｎ  ｔｏ  ＰＣ−Ｆａｘのいずれであるかを判断する。
【００６８】
まず、ＳｃａｎＴｏ機能処理部４４は、継続する処理の種別がＳｃａｎ  ｔｏ  Ａｐｐｌｉｃａｔｉｏｎ、すなわち、Ａｐｐｌｉｃａｔｉｏｎであるか否かを判断する。そして、Ａｐｐｌｉｃａｔｉｏｎである場合、ＳｃａｎＴｏ機能処理部４４は、画像ファイルを指定フォルダ（アプリケーションプログラム用）に移動する。具体的には、一時保存フォルダであるＲｅｃｅｉｖｅｄ  Ｄａｔａに保存されているファイルの名称をユーザに分かりやすい日付＿連番．拡張子ファイル名に変更して可視属性にし、［Ａｐｐｌｉｃａｔｉｏｎ］セクションのＩｍａｇｅＳａｖｅＰａｔｈで指定されたフォルダに移動する。
【００６９】
ここで、ＩｍａｇｅＳａｖｅＰａｔｈは、図９に示されるようなダイアログ７１ａにおける“Ｓａｖｅ  ｓｃａｎｎｅｄ  ｉｍａｇｅ  ｔｏ”で、ユーザによって指定されたパスである。一時保存時には、ｔｍｐ＿ｂｍｐ．００１の不可視ファイルをユーザの指定フォルダに移動するときに、２００６１０１２＿００１．ｂｍｐという可視ファイルにする。
【００７０】
続いて、ＳｃａｎＴｏ機能処理部４４は、画像ファイルへのパスを指定してアプリケーションプログラムを起動し、画像を表示させる。具体的には、［Ａｐｐｌｉｃａｔｉｏｎ］セクションのＳｅｌｅｃｔｅｄＬｉｓｔＩＤで指定されたＡｐｐｌｉｃａｔｉｏｎＰａｔｈで指定されているアプリケーションプログラムに対してＩｍａｇｅＳａｖｅＰａｔｈとファイル名とをコマンドライン引数指定して、前記アプリケーションプログラムを起動し、該アプリケーションプログラムによって、図１３に示されるような画像をディスプレイ２４の画面に表示させる。
【００７１】
そして、ＵＩ処理部４５は、継続確認ダイアログ６２を閉じて、継続確認処理を終了する。
【００７２】
また、継続する処理の種別がＡｐｐｌｉｃａｔｉｏｎであるか否かを判断してＡｐｐｌｉｃａｔｉｏｎでない場合、ＳｃａｎＴｏ機能処理部４４は、継続する処理の種別がＳｃａｎ  ｔｏ  ＰＣ−Ｆａｘ、すなわち、ＰＣ−Ｆａｘであるか否かを判断する。そして、ＰＣ−Ｆａｘである場合、ＳｃａｎＴｏ機能処理部４４は、画像ファイルを指定フォルダ（ＰＣ−Ｆａｘ用）に移動する。具体的には、一時保存フォルダであるＲｅｃｅｉｖｅｄ  Ｄａｔａに保存されているファイルの名称をユーザに分かりやすい日付＿連番．拡張子ファイル名に変更して可視属性にし、［ＰＣ−Ｆａｘ］セクションのＩｍａｇｅＳａｖｅＰａｔｈで指定されたフォルダに移動する。
【００７３】
ここで、ＩｍａｇｅＳａｖｅＰａｔｈは、図１１に示されるようなダイアログ７１ｃにおける“Ｓａｖｅ  ｓｃａｎｎｅｄ  ｉｍａｇｅ  ｔｏ”で、ユーザによって指定されたパスである。一時保存時には、ｔｍｐ＿ｔｉｆｆ．００１の不可視ファイルをユーザの指定フォルダに移動するときに、２００６１０１２＿００１．ｔｉｆｆという可視ファイルにする。
【００７４】
続いて、ＳｃａｎＴｏ機能処理部４４は、画像ファイルへのパスを指定してＰＣ−Ｆａｘアプリケーションプログラムを起動し、画像をＦａｘ送信する。具体的には、［ＰＣ−Ｆａｘ］セクションのＳｅｌｅｃｔｅｄＬｉｓｔＩＤで指定されたＡｐｐｌｉｃａｔｉｏｎＰａｔｈで指定されているアプリケーションプログラムに対してＩｍａｇｅＳａｖｅＰａｔｈとファイル名とをコマンドライン引数指定して、前記アプリケーションプログラムを起動し、該アプリケーションプログラムによって、画像をＦａｘ送信させる。
【００７５】
そして、ＵＩ処理部４５は、継続確認ダイアログ６２を閉じて、継続確認処理を終了する。
【００７６】
また、継続する処理の種別がＰＣ−Ｆａｘであるか否かを判断してＰＣ−Ｆａｘでない場合、ＳｃａｎＴｏ機能処理部４４は、継続する処理の種別がＳｃａｎ  ｔｏ  Ｆｏｌｄｅｒであると判断し、画像ファイルを指定フォルダ（フォルダ用）に移動する。具体的には、一時保存フォルダであるＲｅｃｅｉｖｅｄ  Ｄａｔａに保存されているファイルの名称をユーザに分かりやすい日付＿連番．拡張子ファイル名に変更して可視属性にし、［Ｆｏｌｄｅｒ］セクションのＩｍａｇｅＳａｖｅＰａｔｈで指定されたフォルダに移動する。
【００７７】
ここで、ＩｍａｇｅＳａｖｅＰａｔｈは、図１０に示されるようなダイアログ７１ｂにおける“Ｓａｖｅ  ｓｃａｎｎｅｄ  ｉｍａｇｅ  ｔｏ”で、ユーザによって指定されたパスである。一時保存時には、ｔｍｐ＿ｂｍｐ．００１の不可視ファイルをユーザの指定フォルダに移動するときに、２００６１０１２＿００１．ｂｍｐという可視ファイルにする。
【００７８】
そして、ＵＩ処理部４５は、継続確認ダイアログ６２を閉じて、継続確認処理を終了する。
【００７９】
次に、フローチャートについて説明する。
ステップＳ２１  ＵＩ処理部４５は、継続確認ダイアログ６２を、ディスプレイ２４の画面に表示させる。
ステップＳ２２  ＵＩ処理部４５は、いずれの種別のボタンが押下されたかを判断する。押下されたボタンの種別がＣａｎｃｅｌの場合はステップＳ２３に進み、押下されたボタンの種別がＣｏｎｔｉｎｕｅの場合はステップＳ２４に進む。
ステップＳ２３  画像データ処理部４３は、一時保存フォルダに保存した画像ファイルを削除する。
ステップＳ２４  ＳｃａｎＴｏ機能処理部４４は、継続する処理の種別がＡｐｐｌｉｃａｔｉｏｎであるか否かを判断する。継続する処理の種別がＡｐｐｌｉｃａｔｉｏｎである場合はステップＳ２５に進み、継続する処理の種別がＡｐｐｌｉｃａｔｉｏｎでない場合はステップＳ２８に進む。
ステップＳ２５  ＳｃａｎＴｏ機能処理部４４は、画像ファイルを指定フォルダ（アプリケーションプログラム用）に移動する。
ステップＳ２６  ＳｃａｎＴｏ機能処理部４４は、画像ファイルへのパスを指定してアプリケーションプログラムを起動し、画像を表示させる。
ステップＳ２７  ＵＩ処理部４５は、継続確認ダイアログ６２を閉じて、継続確認処理を終了する。
ステップＳ２８  ＳｃａｎＴｏ機能処理部４４は、継続する処理の種別がＰＣ−Ｆａｘであるか否かを判断する。継続する処理の種別がＰＣ−Ｆａｘである場合はステップＳ２９に進み、継続する処理の種別がＰＣ−Ｆａｘでない場合は、ステップＳ３１に進む。
ステップＳ２９  ＳｃａｎＴｏ機能処理部４４は、画像ファイルを指定フォルダ（ＰＣ−Ｆａｘ用）に移動する。
ステップＳ３０  ＳｃａｎＴｏ機能処理部４４は、画像ファイルへのパスを指定してＰＣ−Ｆａｘアプリケーションプログラムを起動し、画像をＦａｘ送信する。
ステップＳ３１  ＳｃａｎＴｏ機能処理部４４は、継続する処理の種別がＳｃａｎ  ｔｏ  Ｆｏｌｄｅｒであると判断し、画像ファイルを指定フォルダ（フォルダ用）に移動する。
【００８０】
このように、本実施の形態においては、端末装置２０は、画像読取装置３０から受信した画像データを画像ファイルとして一時的に保存し、ユーザが画像ファイルに対する処理の継続を確認する操作を行うと、一時的に保存した画像ファイルに対してあらかじめ設定された処理を実行する。これにより、従来の技術では原稿の画像の読取毎にユーザが手間をかけて行う必要があった定型作業を省くことが可能になり、利便性が向上する。
【００８１】
また、端末装置２０は、画像読取装置３０から受信した画像データを不可視属性の画像ファイルとして一時的に保存する。これにより、ユーザが処理すべきでない一時保存ファイルの存在確認を困難にするとともに、容易に画像ファイルを取り扱えなくなる。
【００８２】
さらに、あらかじめ設定された処理が実行された画像ファイルは、可視属性の画像ファイルとなる。これにより、ユーザは画像ファイルを取り扱うことが可能となる。
【００８３】
次に、本発明の第２の実施の形態について説明する。なお、第１の実施の形態と同じ構成を有するものについては、同じ符号を付与することによって、その説明を省略する。また、前記第１の実施の形態と同じ動作及び同じ効果についても、その説明を省略する。
【００８４】
図１５は本発明の第２の実施の形態における端末装置のディスプレイに表示される継続確認ダイアログの例を示す第１の図、図１６は本発明の第２の実施の形態における端末装置のディスプレイに表示される継続確認ダイアログの例を示す第２の図、図１７は本発明の第２の実施の形態における端末装置のディスプレイに表示される継続確認ダイアログの例を示す第３の図、図１８は本発明の第２の実施の形態における端末装置のディスプレイに表示されるアプリケーション登録ダイアログの例を示す図、図１９は本発明の第２の実施の形態における端末装置のディスプレイに表示される継続確認ダイアログの例を示す第４の図である。
【００８５】
前記第１の実施の形態においては、端末装置２０に取り込まれた画像データがアプリケーションプログラムやフォルダに転送される前に、ディスプレイ２４の画面に表示された継続確認ダイアログ６２によって、ユーザによる継続の確認が行われるようになっている。
【００８６】
これに対し、本実施の形態においては、ユーザが継続の確認を行うときに、アプリケーションプログラムの選択や保存先のフォルダの指定を行うことが可能となっている。
【００８７】
つまり、前記第１の実施の形態において、端末装置２０の画像受信プログラム４１のＵＩ処理部４５は、継続確認処理に移行すると、継続する処理の種別、すなわち、Ｓｃａｎ  ｔｏ機能の種別に関わらず、まず、図７に示されるような継続確認ダイアログ６２をディスプレイ２４の画面に表示させる。これに対し、本実施の形態において、ＵＩ処理部４５は、Ｓｃａｎ  ｔｏ機能の種別に応じて、図１５〜１７に示されるような継続確認ダイアログ８１〜８３をディスプレイ２４の画面に表示させる。なお、Ｓｃａｎ  ｔｏ機能の種別は、図８に示されるような設定情報６３における［Ａｃｔｉｏｎ］セクションに基づいて判断される。
【００８８】
具体的には、図１５に示されるような継続確認ダイアログ８１は、継続する処理の種別、すなわち、Ｓｃａｎ  ｔｏ機能の種別がＳｃａｎ  ｔｏ  Ａｐｐｌｉｃａｔｉｏｎである場合に表示される。また、図１６に示されるような継続確認ダイアログ８２は、継続する処理の種別、すなわち、Ｓｃａｎ  ｔｏ機能の種別がＳｃａｎ  ｔｏ  ＰＣ−Ｆａｘである場合に表示される。さらに、図１７に示されるような継続確認ダイアログ８３は、継続する処理の種別、すなわち、Ｓｃａｎ  ｔｏ機能の種別がＳｃａｎ  ｔｏ  Ｆｏｌｄｅｒである場合に表示される。
【００８９】
図１５に示されるような継続確認ダイアログ８１におけるアプリケーション選択リスト８１ａは、図８に示されるような設定情報６３における［Ａｐｐｌｉｃａｔｉｏｎ］セクションに含まれるＳｅｌｅｃｔｅｄＬｉｓｔＩＤと、ＬｉｓｔＩＤと、Ａｐｐｌｉｃａｔｉｏｎ情報とから構成される。
【００９０】
また、図９に示されるようなダイアログ７１ａに含まれるＳｅｔｔｉｎｇボタンの押下がなされることにより、図１８に示されるようなアプリケーション登録ダイアログ８７がディスプレイ２４の画面に表示される。アプリケーション登録ダイアログ８７によって登録されたアプリケーションプログラムは、ＬｉｓｔＩＤ、Ａｐｐｌｉｃａｔｉｏｎ、及び、ＡｐｐｌｉｃａｔｉｏｎＰａｔｈが組み合わされて設定情報６３に保存される。
【００９１】
図８に示される設定情報６３の例においては、Ｓｃａｎ  ｔｏ  Ａｐｐｌｉｃａｔｉｏｎ用に２つのアプリケーションプログラムであるＩｍａｇｅＥｄｉｔｏｒとＩｍａｇｅＶｉｅｗｅｒとが登録されており、現在選択されているアプリケーションプログラムを示すＳｅｌｅｃｔｅｄＬｉｓｔＩＤの値によってＬｉｓｔＩＤ＝１のＩｍａｇｅＥｄｉｔｏｒが選択表示される。図１９に示されるような継続確認ダイアログ９１に表示されたアプリケーション選択リスト９１ａにおいて、ＩｍａｇｅＶｉｅｗｅｒが選択されると、設定情報６３の［Ａｐｐｌｉｃａｔｉｏｎ］セクションのＳｅｌｅｃｔｅｄＬｉｓｔＩＤの値は、２に変更される。
【００９２】
また、図１６に示されるような継続確認ダイアログ８２におけるアプリケーション選択リスト８２ａは、図８に示されるような設定情報６３における［ＰＣ−Ｆａｘ］セクションを参照して構成される。
【００９３】
さらに、図１７に示されるような継続確認ダイアログ８３におけるＳｃａｎ  ｔｏ  Ｆｏｌｄｅｒの保存先８３ａは、図８に示されるような設定情報６３における［Ｆｏｌｄｅｒ］セクションに含まれるＩｍａｇｅＳａｖｅＰａｔｈを読み出して表示される。そして、継続確認ダイアログ８３におけるＣｏｎｔｉｎｕｅボタンが押下されると、Ｓｃａｎ  ｔｏ  Ｆｏｌｄｅｒの保存先８３ａに表示されたパスが設定情報６３に書き出された後に、継続処理が行われる。
【００９４】
Ｓｃａｎ  ｔｏ機能の種別がＳｃａｎ  ｔｏ  Ａｐｐｌｉｃａｔｉｏｎである場合に表示される継続確認ダイアログ８１におけるアプリケーション選択リスト８１ａでのアプリケーションプログラムの指定、Ｓｃａｎ  ｔｏ機能の種別がＳｃａｎ  ｔｏ  ＰＣ−Ｆａｘである場合に表示される継続確認ダイアログ８２におけるアプリケーション選択リスト８２ａでのアプリケーションプログラムの指定、及び、Ｓｃａｎ  ｔｏ機能の種別がＳｃａｎ  ｔｏ  Ｆｏｌｄｅｒである場合に表示される継続確認ダイアログ８３におけるＳｃａｎ  ｔｏ  Ｆｏｌｄｅｒの保存先８３ａ、すなわち、Ｓｃａｎ  ｔｏ  Ｆｏｌｄｅｒのパス指定は、継続確認ダイアログ８１〜８３におけるＣｏｎｔｉｎｕｅボタンやＣａｎｃｅｌボタンが押下されるまで記憶手段に一時的に保存され、Ｃｏｎｔｉｎｕｅボタンが押下されると、設定情報６３に反映される。
【００９５】
なお、その他の点の構成については、前記第１の実施の形態と同様であるので、その説明を省略する。
【００９６】
次に、本実施の形態における端末装置２０の継続確認処理の動作について説明する。
【００９７】
図２０は本発明の第２の実施の形態における端末装置の継続確認処理の動作を示すフローチャートである。
【００９８】
前記第１の実施の形態と同様に継続確認処理に移行すると、まず、端末装置２０の画像受信プログラム４１のＵＩ処理部４５は、図８に示されるような設定情報６３における［Ａｃｔｉｏｎ］セクションに基づき、Ｓｃａｎ  ｔｏ機能の種別に応じて、図１５〜１７に示されるような継続確認ダイアログ８１〜８３のいずれかを、ディスプレイ２４の画面に表示させる。
【００９９】
この際、設定情報６３における［Ａｐｐｌｉｃａｔｉｏｎ］セクション、［ＰＣ−Ｆａｘ］セクション、又は、［Ｆｏｌｄｅｒ］セクションを参照した情報の読出しが行われ、アプリケーション選択リスト８１ａ、アプリケーション選択リスト８２ａ、又は、Ｓｃａｎ  ｔｏ  Ｆｏｌｄｅｒの保存先８３ａが、継続確認ダイアログ８１〜８３に表示されるとともに、アプリケーション選択リスト８１ａでのアプリケーションプログラムの指定、アプリケーション選択リスト８２ａでのアプリケーションプログラムの指定、又は、Ｓｃａｎ  ｔｏ  Ｆｏｌｄｅｒの保存先８３ａ、すなわち、Ｓｃａｎ  ｔｏ  Ｆｏｌｄｅｒのパス指定が、記憶手段に一時的に保存される。
【０１００】
続いて、ＵＩ処理部４５は、ユーザによる継続確認ダイアログ８１〜８３のボタン押下を監視し、Ｃａｎｃｅｌ又はＣｏｎｔｉｎｕｅのいずれのボタンの押下がされたかを判断する。
【０１０１】
そして、押下されたボタンの種別がＣａｎｃｅｌの場合、ＵＩ処理部４５は、指定情報及び画像ファイルを削除する。具体的には、ＳｃａｎＴｏ機能処理部４４に通知して、記憶手段に一時的に保存された情報であるアプリケーション選択リスト８１ａでのアプリケーションプログラムの指定、アプリケーション選択リスト８２ａでのアプリケーションプログラムの指定、又は、Ｓｃａｎ  ｔｏ  Ｆｏｌｄｅｒの保存先８３ａ、すなわち、Ｓｃａｎ  ｔｏ  Ｆｏｌｄｅｒのパス指定を前記記憶手段から消去させて削除する。また、画像データ処理部４３に処理キャンセルを通知して、一時保存フォルダであるＣ：￥Ｃ：￥Ｄｏｃｕｍｅｎｔｓ  ａｎｄ  Ｓｅｔｔｉｎｇｓ￥ｕｓｅｒ￥Ａｐｐｌｉｃａｔｉｏｎ  Ｄａｔａ￥Ｒｅｃｅｉｖｅｄ  Ｄａｔａ￥に保存した画像ファイルを削除する。そして、ＵＩ処理部４５は、継続確認ダイアログ６２を閉じて、継続確認処理を終了する。
【０１０２】
一方、押下されたボタンの種別がＣｏｎｔｉｎｕｅの場合、ＵＩ処理部４５は、ＳｃａｎＴｏ機能処理部４４に処理継続を通知する。すると、ＳｃａｎＴｏ機能処理部４４は、ディスプレイ２４の画面に表示されている継続確認ダイアログ８１〜８３に対応するＳｃａｎ  ｔｏ機能の種別に基づいて、継続する処理の種別がいずれであるか、すなわち、Ｓｃａｎ  ｔｏ  Ａｐｐｌｉｃａｔｉｏｎ、Ｓｃａｎ  ｔｏ  Ｆｏｌｄｅｒ、及び、Ｓｃａｎ  ｔｏ  ＰＣ−Ｆａｘのいずれであるかを判断する。
【０１０３】
まず、ＳｃａｎＴｏ機能処理部４４は、継続する処理の種別がＳｃａｎ  ｔｏ  Ａｐｐｌｉｃａｔｉｏｎ、すなわち、Ａｐｐｌｉｃａｔｉｏｎであるか否かを判断する。そして、Ａｐｐｌｉｃａｔｉｏｎである場合、ＳｃａｎＴｏ機能処理部４４は、記憶手段に一時的に保存された情報であるアプリケーション選択リスト８１ａでのアプリケーションプログラムの指定を設定情報６３に反映させ、前記記憶手段から消去する。続いて、ＳｃａｎＴｏ機能処理部４４は、画像ファイルを指定フォルダ（アプリケーションプログラム用）に移動する。
【０１０４】
なお、継続する処理の種別がＳｃａｎ  ｔｏ  Ａｐｐｌｉｃａｔｉｏｎである場合における以降の動作は、前記第１の実施の形態と同様であるので、説明を省略する。
【０１０５】
また、継続する処理の種別がＡｐｐｌｉｃａｔｉｏｎであるか否かを判断してＡｐｐｌｉｃａｔｉｏｎでない場合、ＳｃａｎＴｏ機能処理部４４は、継続する処理の種別がＳｃａｎ  ｔｏ  ＰＣ−Ｆａｘ、すなわち、ＰＣ−Ｆａｘであるか否かを判断する。そして、ＰＣ−Ｆａｘである場合、ＳｃａｎＴｏ機能処理部４４は、記憶手段に一時的に保存された情報であるアプリケーション選択リスト８２ａでのアプリケーションプログラムの指定を設定情報６３に反映させ、前記記憶手段から消去する。続いて、ＳｃａｎＴｏ機能処理部４４は、画像ファイルを指定フォルダ（ＰＣ−Ｆａｘ用）に移動する。
【０１０６】
なお、継続する処理の種別がＳｃａｎ  ｔｏ  ＰＣ−Ｆａｘである場合における以降の動作は、前記第１の実施の形態と同様であるので、説明を省略する。
【０１０７】
また、継続する処理の種別がＰＣ−Ｆａｘであるか否かを判断してＰＣ−Ｆａｘでない場合、ＳｃａｎＴｏ機能処理部４４は、継続する処理の種別がＳｃａｎ  ｔｏ  Ｆｏｌｄｅｒであると判断し、記憶手段に一時的に保存された情報であるＳｃａｎ  ｔｏ  Ｆｏｌｄｅｒの保存先８３ａ、すなわち、Ｓｃａｎ  ｔｏ  Ｆｏｌｄｅｒのパス指定を設定情報６３に反映させ、前記記憶手段から消去する。続いて、ＳｃａｎＴｏ機能処理部４４は、画像ファイルを指定フォルダ（フォルダ用）に移動する。
【０１０８】
なお、継続する処理の種別がＳｃａｎ  ｔｏ  ＰＣ−Ｆａｘでない場合における以降の動作は、前記第１の実施の形態と同様であるので、説明を省略する。
【０１０９】
次に、フローチャートについて説明する。
ステップＳ４１  ＵＩ処理部４５は、継続確認ダイアログ８１〜８３のいずれかを、ディスプレイ２４の画面に表示させる。
ステップＳ４２  ＵＩ処理部４５は、Ｃａｎｃｅｌ又はＣｏｎｔｉｎｕｅのいずれのボタンの押下がされたかを判断する。押下されたボタンの種別がＣａｎｃｅｌの場合はステップＳ４３に進み、押下されたボタンの種別がＣｏｎｔｉｎｕｅの場合はステップＳ４４に進む。
ステップＳ４３  ＵＩ処理部４５は、指定情報及び画像ファイルを削除する。
ステップＳ４４  ＳｃａｎＴｏ機能処理部４４は、継続する処理の種別がＡｐｐｌｉｃａｔｉｏｎであるか否かを判断する。継続する処理の種別がＡｐｐｌｉｃａｔｉｏｎである場合は、ステップＳ４５に進み、継続する処理の種別がＡｐｐｌｉｃａｔｉｏｎでない場合はステップＳ４９に進む。
ステップＳ４５  ＳｃａｎＴｏ機能処理部４４は、記憶手段に一時的に保存された情報を設定情報６３に反映させ、記憶手段から消去する。
ステップＳ４６  ＳｃａｎＴｏ機能処理部４４は、画像ファイルを指定フォルダ（アプリケーションプログラム用）に移動する。
ステップＳ４７  ＳｃａｎＴｏ機能処理部４４は、画像ファイルへのパスを指定してアプリケーションプログラムを起動し、画像を表示させる。
ステップＳ４８  ＵＩ処理部４５は、継続確認ダイアログ６２を閉じて、継続確認処理を終了する。
ステップＳ４９  ＳｃａｎＴｏ機能処理部４４は、継続する処理の種別がＰＣ−Ｆａｘであるか否かを判断する。継続する処理の種別がＰＣ−Ｆａｘである場合はステップＳ５０に進み、継続する処理の種別がＰＣ−Ｆａｘでなかった場合は、ステップＳ５３に進む。
ステップＳ５０  ＳｃａｎＴｏ機能処理部４４は、記憶手段に一時的に保存された情報を設定情報６３に反映させ、記憶手段から消去する。
ステップＳ５１  ＳｃａｎＴｏ機能処理部４４は、画像ファイルを指定フォルダ（ＰＣ−Ｆａｘ用）に移動する。
ステップＳ５２  ＳｃａｎＴｏ機能処理部４４は、画像ファイルへのパスを指定してＰＣ−Ｆａｘアプリケーションプログラムを起動し、画像をＦａｘ送信する。
ステップＳ５３  ＳｃａｎＴｏ機能処理部４４は、継続する処理の種別がＳｃａｎ  ｔｏ  Ｆｏｌｄｅｒであると判断し、記憶手段に一時的に保存された情報を設定情報６３に反映させ、記憶手段から消去する。
ステップＳ５４  ＳｃａｎＴｏ機能処理部４４は、画像ファイルを指定フォルダ（フォルダ用）に移動する。
【０１１０】
このように、本実施の形態においては、ユーザは、画像ファイルに対する処理の継続を確認する操作とともに、あらかじめ設定された処理を変更する操作を選択的に行うことができる。したがって、画像読取装置３０を操作してプッシュスキャンを実行する前にあらかじめ設定されたアプリケーションプログラムによって画像ファイルを開いたり、画像ファイルをフォルダに保存することができることに加えて、プッシュスキャンの実行後に、ユーザの読取が終了した原稿を携えて端末装置２０に戻ってきたときでも、画像ファイルを開くアプリケーションプログラムの選択や画像ファイルを保存する指定フォルダを容易に変更することが可能になる。
【０１１１】
なお、前記第１及び２の実施の形態においては、画像読取装置３０がスキャナである場合について説明したが、ＭＦＰ（Ｍｕｌｔｉ  Ｆｕｎｃｔｉｏｎ  Ｐｒｉｎｔｅｒ：複合型プリンタ）、ファクシミリ機、複写装置等のようにスキャナとしての機能を備える装置であれば、いかなる装置であってもよい。
【０１１２】
また、本発明は前記実施の形態に限定されるものではなく、本発明の趣旨に基づいて種々変形させることが可能であり、それらを本発明の範囲から排除するものではない。
【産業上の利用可能性】
【０１１３】
本発明は、画像処理システムに利用することができる。
【符号の説明】
【０１１４】
１０    画像処理システム
２０    端末装置
３０    画像読取装置
【図１】
2013045359.tif 000003
【図２】
2013045359.tif 000004
【図３】
2013045359.tif 000005
【図４】
2013045359.tif 000006
【図５】
2013045359.tif 000007
【図６】
2013045359.tif 000008
【図７】
2013045359.tif 000009
【図８】
2013045359.tif 000010
【図９】
2013045359.tif 000011
【図１０】
2013045359.tif 000012
【図１１】
2013045359.tif 000013
【図１２】
2013045359.tif 000014
【図１３】
2013045359.tif 000015
【図１４】
2013045359.tif 000016
【図１５】
2013045359.tif 000017
【図１６】
2013045359.tif 000018
【図１７】
2013045359.tif 000019
【図１８】
2013045359.tif 000020
【図１９】
2013045359.tif 000021
【図２０】
2013045359.tif 000022